(57)【要約】      （修正有）【課題】商品又はサービスなどを購入する際、消費者が企業から消費宝くじ券を貰え、後日の抽選で消費宝くじ番号が当選番号と一致すれば、当選金を受け取ることができる消費宝くじシステムを提供する。【解決手段】企業は消費者から支払われる消費金額情報を発券端末１２に通知して消費宝くじ券１３の発行を請求する。発券端末は、請求情報を発行サーバー１１に送信して消費宝くじ券のデータの発行を依頼する。発行サーバーは、依頼に対応する消費宝くじ番号を提供して消費宝くじ券のデータを依頼発券端末に発行する。依頼発券端末は、発行された消費宝くじ券のデータを印刷して企業３に発券する。企業は発券された消費宝くじ券を消費者に交付する。なお、消費宝くじ券発行元は、当選番号の抽選を行い、番号が一致する消費宝くじ券を有する当選者に当選金を支払う。【選択図】図２
2018060237.tif 000002
【特許請求の範囲】
【請求項１】
消費宝くじ券の発行を請求する企業と、商品又はサービスを購入するため企業に購入金を支払う消費者と・消費宝くじ券を発行する消費宝くじ券発行元と、消費宝くじ券のデータを発行する発行サーバーと、発行サーバーと通信回線を介して接続される消費宝くじ券を発券する発券端末と、発券端末から発券される消費宝くじ券と、を備えることを特徴とする消費宝くじシステムてあって、
前記企業は、
消費者から支払われた購入金（消費金額）情報を前記発券端末に通知して消費宝くじ券の発行を請求する請求手段と、
前記発券端末から発券された消費宝くじ券を消費者に交付する交付手段と、
を備え、
前記消費者は
商品又はサービスを購入するため企業に購入金を支払う手段、
を備え、
前記消費宝くじ券発行元は、
前記発行サーバー及び前記発券端末を通じて、消費宝くじ券を発行する発行手段と、
前記消費宝くじ券に付けられる消費宝くじ番号の当選番号を抽選する抽選手段と、
当選番号と一致する消費宝くじ券を有する当選者に当選金を支払う支払う手段と、
を備え、
前記発行サーバーは、
前記発行サーバーで扱われる各種情報データなどを記憶する記憶手段と、
前記発券端末との間に情報を送受信する送受信手段と、
前記消費宝くじ券に付けられる消費宝くじ番号を提供する提供手段と、
前記消費宝くじ番号を含む消費宝くじ券データを発行する発行手段と、
前記消費宝くじ券データの発行に関する情報データを前記記憶手段に登録する登録手段と、
を備え、
前記発券端末は
前記発行サーバーとの間に情報を送受信する送受信手段と、
前記企業の消費宝くじ券発行請求の情報を受収する受収手段と、
前記請求情報を発行サーバーに送信して消費宝くじ券データの発行を依頼する依頼手段と、
前記発行サーバーから発行された消費宝くじ券のデータに基づいて、消費宝くじ券を印刷して前記申請企業に発券する印刷発券手段と、
を備え、
前記消費宝くじ券は
前記発券端末によって印刷された印刷物であることと、
消費宝くじ券には、前記発行サーバーから発行された消費宝くじ番号を含む消費宝くじ券データが記録されていることと、
１枚の消費宝くじ券に付けられる消費宝くじ番号が１個から複数まで可能で、前記購入金額の変化により、消費宝くじ券に付けられる消費宝くじ番号の数が変わっていくことと、
を備えること、
を特徴とする消費宝くじシステム。
【請求項２】
請求項１記載の消費宝くじシステムであって、
企業指定入金口座と、
前記購入金を前記企業指定入金口座に入金（預金）する入金手段と、をさらに備えること、
を特徴とする消費宝くじシステム。
【請求項３】
請求項２記載の消費宝くじシステムであって、
消費税口座と、
前記購入金に含まれる消費税を前記企業指定入金口座から引き落として前記消費税口座に入金して保管する保管手段と、をさらに備えること、
を特徴とする消費宝くじシステム。
【請求項４】
前記消費宝くじシステムの発行サーバーであって、
前記発行サーバーで扱われる各種情報データなどを記憶する記憶手段と、
前記発券端末との間に情報を送受信する送受信手段と、
前記消費宝くじ券に付けられる消費宝くじ番号を提供する提供手段と、
前記消費宝くじ番号を含む消費宝くじ券データを発行する発行手段と、
前記消費宝くじ券データの発行に関する情報データを前記記憶手段に登録する登録手段と、
を備えること、
を特徴とする消費宝くじシステムの発行サーバー。
【請求項５】
前記消費宝くじシステムの発券端末であって、
前記発行サーバーとの間に情報を送受信する送受信手段と、
前記企業の消費宝くじ券発行請求の情報を受収する受収手段と、
前記請求情報を発行サーバーに送信して消費宝くじ券データの発行を依頼する依頼手段と、
前記発行サーバーから発行された消費宝くじ券のデータに基づいて、消費宝くじ券を印刷して前記申込企業に発券する印刷発券手段と、
を備えること、
を特徴とする消費宝くじシステムの発券端末。
【請求項６】
請求項５記載の発券端末であって、
レジスタ機能をさらに備えること、
を特徴とする消費宝くじシステムの発券端末。
【請求項７】
前記消費宝くじシステムの消費宝くじ券であって、
前記発券端末によって印刷された印刷物であることと、
消費宝くじ券には、前記発行サーバーから発行された消費宝くじ券データが記録されていることと、
１枚の消費宝くじ券に付けられる消費宝くじ番号が１個から複数まで可能で、前記購入金額の変化により、消費宝くじ券に付けられる消費宝くじ番号の数が変わっていくことと、
発行サーバーが発行するほかの消費宝くじ券データと、
を備えること、
を特徴とする消費宝くじ券。
【請求項８】
消費宝くじシステムの発券端末を備える自動販売機であって、
自動販売機に消費宝くじシステムの発券端末を有すること、
を特徴とする消費宝くじシステムの発券端末付き自動販売機。
【請求項９】
消費宝くじシステムの発券端末を備える自動券売機であって、
自動券売機に消費宝くじシステムの発券端末を有すること、
を特徴とする消費宝くじシステムの発券端末付き自動券売機。
【請求項１０】
消費宝くじ券の発行を申込する企業と、消費者と、消費宝くじ券を発行する消費宝くじ券発行元と、消費宝くじ券のデータを発行する発行サーバーと、発行サーバーと通信回線を介して接続される消費宝くじ券を発券する発券端末と、発券端末から発券される消費宝くじ券と、を備えることを特徴とする消費宝くじ方法てあって、
消費者は、商品又はサービスを購入するため企業に購入金を支払うステップと、
前記企業は、消費者から支払われる購入金（消費金額）情報を前記発券端末に通知して消費宝くじ券の発行を請求ステップと、
発券端末が前記企業の消費宝くじ券の発行請求を受収ステップと、
前記発券端末が受収した請求情報を発行サーバーに送信して消費宝くじ券のデータ発行を依頼ステップと、
前記発行サーバーが消費宝くじ券データを作り上げて発券端末に送信ステップと、
前記発券端末が発行サーバーから受信した消費宝くじ券データを印刷して、消費宝くじ券を企業に発券ステップと、
前記企業が消費宝くじ券を消費者に交付ステップと、
前記消費宝くじ発行元が消費宝くじ券にある消費宝くじ番号の当選番号を抽選ステップと、
当選番号と一致する当選者に当選金を交付ステップと、を行うこと、
を特徴とする消費宝くじ方法。
【請求項１１】
請求項１０記載の消費宝くじ方法であって、
店舗指定入金口座と、
前記購入金を前記店舗指定入金口座に入金ステップと、を含むこと、
を特徴とする消費宝くじ方法。
【請求項１２】
請求項１１記載の消費くじ方法であって、
消費税口座と、
前記購入金に含まれる消費税を前記店舗指定入金口座から前記消費税口座に移転して保管ステップと、
を特徴とする消費宝くじ方法。
【発明の詳細な説明】
【技術分野】
【０００１】      本発明の実施形態は、消費宝くじシステム、消費宝くじシステムの発行サーバー、消費宝くじシステムの発券端末、消費宝くじ券、消費宝くじ方法などに関する。
【背景技術】
【０００２】      従来、企業の販売促進などの目的で、商業施設（ネットショップなどを含む）など特定の場所に時期限定で消費者に抽選チャンスを与えて、当選者に賞金又は賞品又はそれらに相当するサービスを提供することがある。又は、消費者がクレジットカート、プリペイドカード、電子マネーなどを用いた場合、ポイントサービスをうけることがある。【０００３】      しかし上述した場合には、消費者の購買行動が、時間、場所、商品（サービス）、会員制などに制限されることが多く見られ、常に企業販売促進する効果が望めない。又は、抽選チャンスを得るため必要以上に買い物をし、後で後悔する消費者が一部にいることも考えられる。
【発明の概要】
【発明が解決しようとする課題】
【０００４】      企業の魅力を高め、販売を促進しながら、常に消費者の購買行動に後悔のない楽しみを伴われることができるように、商品又はサービスを購入する消費者に、消費宝くじ券を与え、後日の抽選で番号が一致すれば当選金を貰えること。【０００５】      本発明は、商品又はサービスを購入する消費者に、消費宝くじ券を与え、後日の抽選で番号が一致すれば当選金を貰える消費宝くじシステムと、消費宝くじ券と、消費宝くじ券を発券する発券端末と、消費宝くじ券データを発行する発行サーバーと、消費宝くじ方法を提供することを目的とする。
【課題を解決するための手段】
【０００６】      上記課題を解決するために、本発明のある観点によれば、企業と、消費者と、消費宝くじ券発行元と、発行サーバーと、発券端末と、消費宝くじ券と、を備えることを特徴とする消費宝くじシステムであって、前記消費宝くじ券発行元は、前記発行サーバー及び前記発券端末を通じて、消費宝くじ券を発行する発行手段と、前記消費宝くじ券の消費宝くじ番号の当選番号を抽選する抽選手段と、当選番号と一致する消費宝くじ券を有する当選者に当選金を交付する交付手段と、を備え、前記企業は、消費者から支払われた購入金（消費金額）情報を前記発券端末に通知して消費宝くじ券の発行を請求する請求手段と、前記発券端末から発券された消費宝くじ券を消費者に交付する交付手段と、を備え、前記発行サーバーは、通信回線を介して接続される前記発券端末及び消費宝くじ番号などデータを記憶する記憶手段と、前記発券端末との間に情報を送受信する送受信手段と、前記消費宝くじ券に付けられる消費宝くじ番号を提供する提供手段と、前記消費宝くじ番号含む消費宝くじ券データを発行する発行手段と、前記消費宝くじ券データの発行に関する情報データを前記記憶手段に登録する登録手段と、を備え、前記発券端末は、前記発行サーバーとの間に情報を送受信する送受信手段と、前記企業の消費宝くじ券発行請求の情報を受収する受収手段と、前記請求情報を発行サーバーに送信して消費宝くじ券データの発行を依頼する依頼手段と、前記発行サーバーから発行された消費宝くじ券データを消費宝くじ券に印刷して前記依頼企業に発券する印刷発券手段と、を備え、前記消費宝くじ券は、前記発券端末によって印刷され、前記発行サーバーから発行された消費宝くじ券データを記録されている印刷物であることと、１枚の消費宝くじ券に付けられる消費宝くじ番号が１個から複数まで可能で、前記購入金額の変化によって消費宝くじ券に付けられる消費宝くじ番号の数が変わっていくことと、を備えること、を特徴とする消費宝くじシステムが提供される。【０００７】      企業が例えば実店舗であって、前記発券端末を実店舗に設置されることによって、発券端末から発券される消費宝くじ券をその場で客に手渡すことができるため、店舗の魅力がアップされ、集客の手段にもなる。【０００８】      企業が例えばネットショップのような仮想店舗などであって、前記発券端末が設置されない場合でも、発券端末から発券される消費宝くじ券を郵送などの手段で客に渡すことができれば、企業の商売にプラス効果になれる。【０００９】      上記の消費宝くじシステムにおいて、企業が消費宝くじ券を消費者２に交付できることによって、販売促進になる一方・消費宝くじ券発行元７が企業３からの手数料などの収入を得ることにもなる。その収入の一部が当選金に充当される。【００１０】      上記の消費宝くじシステムにおいて、企業の指定入金口座と、前記購入金を前記企業の指定入金口座に入金（預金）する入金手段と、をさらに備えることによって、企業の消費宝くじ券の発行依頼がその後の企業の指定入金口座に入金状況と一致するか否かを確認することができるため、消費宝くじ券発券の不正な請求することを防ぐ効果がある。【００１１】      なお、上記の消費宝くじシステムにおいて、企業の指定入金口座と、前記購入金を前記企業の指定入金口座に入金（預金）する入金手段と、を備えることによって、企業が支払うべき手数料などを前記指定入金口座から自動的に差し引きすることも考えられる。【００１２】      前記企業の指定入金口座の口座名義人は企業である、企業は口座にある金銭を自由に支配することができる。【００１３】      上記の消費宝くじシステムにおいて、消費税口座と、前記購入金に含まれる消費税を前記店舗指定入金口座から前記消費税口座に移転して保管する保管手段と、をさらに備える。【００１４】      消費税のある地域では、消費税が購入金に含まれることが一般的で、本発明の消費宝くじシステムに前記消費税口座１５を更に設けることによって、消費税を入金口座から引き落として前記消費税口座１５に入金して、納付までに保管することができる。【００１５】      消費税口座１５の名義人は、企業３か、税務機関４か、銀行５か、いずれかの一つになるが、いずれにしても、消費税口座１５が設けられることによって、消費税の管理がより容易になる。【００１６】      消費税口座１５の名義人は企業になる場合、より正確より簡単な消費税申告納付することができる、又は、消費税口座１５の名義人は銀行５になる場合、銀行５の業務拡大になるため利益に繋げることができる一方、企業３の代わりに消費税の申告納付をするため、企業の労務が軽減される。又は、消費税口座１５の名義人は税務機関４になる場合、申告納付手続きが簡略化されると、税収効率がアップされるなどと、が考えられる。【００１７】      上記消費宝くじシステムの発行サーバーにおいて、前記発行サーバーで扱われる各種情報データなどを記憶する記憶手段と、前記発券端末との間に情報を送受信する送受信手段と、前記消費宝くじ券に付けられる消費宝くじ番号を提供する提供手段と、前記消費宝くじ番号を含む消費宝くじ券データを発行する発行手段と、前記消費宝くじ券データの発行に関する情報データを前記記憶手段に登録する登録手段と、を備える。【００１８】      上記消費宝くじシステムの発券端末において、前記発行サーバーとの間に情報を送受信する送受信手段と、前記企業の消費宝くじ券発行請求情報を受収する受収手段と、前記請求情報を発行サーバーに送信して消費宝くじ券データの発行を依頼する依頼手段と、前記発行サーバーから発行された消費宝くじ券のデータを消費宝くじ券に印刷して前記請求企業に発券する印刷発券手段と、を備える。【００１９】      上記の消費宝くじシステムの発券端末において、さらにレジスタ機能を備えることによって、レジスタ機能の一部が発券端末の情報受収、入力操作、印刷などの手段になれるため、発券端末の利便性が高める。又、発券端末にレジスタ機能を備えることによって、領収書と消費宝くじ券と合体して印刷することができるため、領収書に消費宝くじ券データを記録すれば消費宝くじ券にもなれる。【００２０】      前記消費宝くじシステムの発券端末の設置場所において、消費者と対面で売買できる企業（例えば実店舗など）に設置されることが理想的で、企業が発券端末から発券される消費宝くじ券をその場で客に手渡すことができるため、企業の魅力がアップされ、集客の手段にもなる。【００２１】      上記消費宝くじシステムの発券端末付きの自動販売機において、上載の消費宝くじシステム発券端末を自動販売機に備えることによって、集客力がアップされる。【００２２】      上記消費宝くじシステムの発券端末付きの自動券売機において、上載の消費宝くじシステム発券端末を自動券売機に備えることによって、客離れを防ぐことができる。【００２３】      消費宝くじ券において、前記発券端末によって印刷された印刷物であることと、消費宝くじ券に前記発行サーバーから発行された消費宝くじ番号を含む消費宝くじ券データを記録されることと、１枚の消費宝くじ券に付けられる消費宝くじ番号が１個から複数個まで可能で、前記購入金の金額の変化によって消費宝くじ番号の数も変わっていくことと、を備える。【００２４】      又は、本発明の他の観点によれば、企業と、消費者と、消費宝くじ券発行元と、発行サーバーと、発券端末と、消費宝くじ券と、を備えることを特徴とする消費宝くじ方法であって、消費者は企業から商品又はサービスを購入するために購入金を支払うステップ（Ｓ１０１）と、企業が購入金情報を発券端末に通知して消費宝くじ券の発行を請求ステップと、発券端末は受収された請求情報を発行サーバーに送信して消費宝くじ券データの発行を依頼ステップ（Ｓ１０３）と、発行サーバーは依頼情報に基づき消費宝くじ券データを作成して発券端末に発行ステップ（Ｓ１０５）と、発券端末は、発行サーバーから発行された消費宝くじ券データを消費宝くじ券に印刷して企業に発券ステップと、企業は発行された消費宝くじ券を消費者に交付ステップ（Ｓ１０７）と、消費宝くじ券発行元は、消費宝くじ番号の当選番号を抽選ステップと、当選番号と一致する消費宝くじ券の所有者に当選金を支払うステップと、を備えること、を特徴とする消費宝くじ方法が提供される。
【発明の効果】
【００２５】      本発明の消費宝くじシステムにおいて、商品又はサービスを購入する消費者にとって、無料で消費宝くじ券を与えられ、後日の抽選で番号が一致すれば当選金を貰える、企業にとって、販売促進、売上アップなどのメリットが得られる、消費宝くじ券発行元にとって、企業からの手数料などの収入が貰え、その収入の一部が当選金に充当するが、残りは利益になる。さらに、銀行、税務機関、提携企業にとってもそれぞれのメリットがあることで、このように、みんなにとってメリットがあるシステムである。【００２６】      後悔のない楽しみとは、消費者が自分の消費能力と消費目的に従って、商品又はサービスにおいて、何時、何処、何をを購入しても、消費宝くじ券が与えられることで、後日の抽選であたることはともかく、たとえ外れにしても損失がないので、失敗するような後悔がないこと。同じ値段で，同じ商品又はサービスを購入する場合、消費宝くじ券のないよりある方が魅力だと考えられる。
【図面の簡単な説明】
【００２７】
【図１】第１実施形態に係る消費宝くじシステム構成図。
【図２】第２実施形態に係る消費宝くじシステム構成図。
【図３】第３実施形態に係る消費宝くじシステム構成図。
【図４】第３実施形態の全体構成の１例を示す図。
【図５】第１第２第３の実施形態に係るシステムサーバーのブロック図。
【図６】第１第２第３の実施形態に係る発券端末のブロック図。
【図７】第１第２第３の実施形態に係るレジスタ機能付きの発券端末のブロック図。
【図８】第１第２第３の実施形態に係る消費宝くじ券の１例の概念図。
【図９】第３実施形態に係る消費宝くじシステム流れを示すシーケンス図。
【発明を実施するための形態】
【００２８】      図１は、第１実施形態に係る消費宝くじシステム構成図である。消費宝くじシステム１は、企業３と、消費者２と、消費宝くじ券発行元７と、発行サーバー１１と、発券端末１２と、消費宝くじ券１３と、を備える。
【００２９】      消費宝くじ券発行元７は、発行サーバー１１と発券端末１２とを通じて消費宝くじ券１３を発行する、消費宝くじ番号の当選番号の抽選する、当選番号に一致する当選者に当選金を支払う（当選番号のある消費宝くじ券を交付する店に、連帯賞金を与えることでもよい）、などことができる。
【００３０】      発行サーバー１１は、通信回線に介して複数の発券端末１２と接続してデータを送受信する。発券端末１２から消費宝くじデータ発行の依頼に対して、消費宝くじ券１３のデータを返信して発行する。
【００３１】      発券端末１２は、企業３から消費宝くじ券の発行請求情報を受収、その請求情報を発行サーバー１１に送信して消費宝くじ券データの発行を依頼、又は、発行サーバー１１から交付される消費宝くじ券１３のデータを印刷して消費宝くじ券１３を企業３に発券する。
【００３２】      消費宝くじ券１３は、発行サーバー１１から発行された消費宝くじ券１３のデータが発券端末１２によって印刷された印刷物である。消費宝くじ番号１３２と、抽選日、当選金交付期限、発行サーバー１１、発券端末、消費宝くじ券発行元の情報データなどが記録される。
【００３３】      図２は、第２実施形態に係る消費宝くじシステム構成図である。
上記第一実施形態において、さらに企業３の指定入金口座１４を設けて、購入金１３３を前記入金口座１４に入金させること。
【００３４】      指定入金口座１４を設け、購入金１３３を指定入金口座１４に入金させることは、不正な発券申込を防ぐためである。図２で示されるように、発行サーバー１１は、消費宝くじ券データを送信する際、その入金すべき情報を指定入金口座１４の管理システムに知らせることになる。発券申込内容が入金と一致しない場合、不正な発券申込と見なされる。又は、正当な理由、例えば消費宝くじ券１３を消費者２に交付したが、何らかの原因で発券申込の前提条件である売買自体が無効になったことがあったとしても、発行された消費宝くじ券１３が返却させて処理することができる。一方、指定入金口座１４を設け、購入金１３３を指定入金口座１４に入金させることによって、企業３の支払うべき手数料など料金を指定入金口座１４から自動的に差し引きすることができる。
【００３５】      図３は、第３実施形態に係る消費宝くじシステム構成図である。消費税のある地域では、消費税を購入金１３３に含まれることが一般的で、本発明の消費宝くじシステムに消費税口座１５を更に設け、指定入金口座１４に入金される購入金１３３から消費税を引き落として消費税口座１５に移入して、納付するまで保管する。
【００３６】  消費税口座１５の名義人は企業３になる場合、より正確より簡単な消費税申告納付することができる、又は、消費税口座１５の名義人は銀行５になる場合、銀行５の業務拡大になるため利益に繋げることができる一方、企業３の代わりに消費税の申告納付をするため、企業３の労務が軽減される。又は、消費税口座１５の名義人は税務機関４になる場合、申告納付手続きが簡略化され、税収効率がアップされることになる、消費税口座１５を持つのは、企業３か銀行５か税務機関４か、いずれの一つになるが、いずれにしても、消費税口座１５が設けられることによって、消費税の管理がより容易になる。
【００３７】  図４は、第３実施形態の全体構成の１例を示す図である。消費者２は企業３から商品又はサービスを購入するために購入金を支払うステップと、企業３が購入金情報を発券端末１２に通知して消費宝くじ券の発行を請求ステップと、発券端末１２は受収された請求情報を発行サーバー１１に送信して消費宝くじ券データの発行を依頼ステップと、発行サーバー１１は依頼情報に基づく消費宝くじ券データを作成して発券端末１２に発行ステップと、発券端末１２は、発行サーバー１１から発行された消費宝くじ券データを印刷して企業３に発券ステップと、企業３は発行された消費宝くじ券１３を消費者２に交付ステップと、消費宝くじ券発行元は、消費宝くじ番号の当選番号を抽選して当選番号と一致する消費宝くじ券の所有者に当選金を支払う（同時に、当選消費宝くじ券を交付する企業に、連帯賞金を与えることでもよい）ステップ、を備える。
【００３８】      上記のステップは本発明の消費宝くじシステムの第１第２第３の実施形態に共通的なステップであるが、そのようなステップがある以上に第２の実施形態には購入金１３３を指定入金口座１４に入金ステップが含まれる、さらに、第３の実施形態には消費税を指定入金口座１４から消費税口座１５に移動して管理ステップと、消費税を税務機関４に申告納付ステップが含まれる、
【００３９】      図４の示すように、発券端末１２を企業３、指定入金口座１４と消費税口座１５とを銀行９、に備えることができる。
【００４０】      発券端末１２が企業３例えば実店舗に設置されて、消費宝くじ券１３を直ちに発券端末１２から引き取って消費者に交付することは理想だが、ネットショップなど仮想店舗のような企業に発券端末１２が設置されなくでも、企業３がほかの特定の発券端末１２に発券させて、消費宝くじ券１３を消費者に郵送などの手段で交付することもできる。
【００４１】      発券請求において、１件の発券請求に複数枚の消費宝くじ券を発行することが考えられる、例えば一つの決済で１０個消費宝くじ番号に相当するの購入金だが、消費者が２名で、半分半分で消費宝くじ券を発券して欲しい場合、１枚５個の消費宝くじ番号が付けられる消費宝くじ券を２枚、を発行することができる。
【００４２】      消費宝くじ券発行元７は、発券端末１２を通じて消費宝くじ券１３の発行することと、当選番号の抽選することと、支払う期限内に当選金を支払うことと、をする以外にも、常に消費宝くじ券の発行に関する情報を開示することをする。例えばある企業から交付された消費宝くじ券が本物であるかどうかを確認したい場合、消費宝くじ券発行元７に問い合わせることができる。
【００４３】      図５は、第１第２第３の実施形態に係る発行サーバー１１のブロック図である。発行サーバー１１は、制御部１１１、記憶部１１２、通信部１１３、発行部１１４、などで構成される。
【００４４】      制御部１１１は、例えばマイコン等で構成されており、記憶部１１２に記憶された所定の制御プログラムに従って、発行サーバー１１全体を制御する機能を有している。制御部１１１は、通信部１１３が受け取った消費宝くじ券データの発行依頼情報を発行部１１４に処理させ、消費宝くじ券データを作り出させて、通信部１１３から送信させて発行させ、さらに消費宝くじ券データ発行に関する情報データを記憶部１１２に記憶させることができる。
【００４５】      上記記憶部１１２は、ＲＯＭ，ＲＡＭ，不揮発性メモリなどの公知の記憶媒体によって構成され、発行サーバー１１で扱われる各種情報データを記憶している。記憶部１１２には、消費宝くじ番号又は消費宝くじ番号を生成する方法を有するプログラムなどを予め記憶されている、なお、登録手段によって、発券に関する新しい情報データをさらに記憶することができる。
【００４６】      通信部１１３は、発券端末１２との間でのデータ通信を行うためのインタフェースとして構成され、また、通信部１１３は、発券端末１２以外の外部装置との間でのデータ通信を行うことも考えられる。通信インタフェースは、例えば公知のＬＡＮなどによって構成されており、制御部１２と協働して無線通信或は有線通信を行う構成をなしている。
【００４７】  発行部１１４は、消費宝くじ番号を提供する手段と、消費宝くじ番号を含む消費宝くじ券データを通信部１１３を通じて、発券端末１２に送信して発行する発行手段と、送受信した情報データを登録する登録手段と、を備える。
【００４８】      上記提供する手段は、例えば消費宝くじ番号１３２を予め記憶部１１２に記憶させ、消費宝くじ券データの発行を依頼されたときに、依頼情報に応じる個数の消費宝くじ番号１３２を記憶部１１２から抽出して提供する手段と、予め記憶部１１２に番号生成方法を有するプログラムを備えて、そのプログラムによって、依頼情報に対応する個数の消費宝くじ番号１３２を生成して提供する手段などと、が考えられる。
【００４９】      依頼情報に応じる個数の消費宝くじ番号１３２を提供するとは、例えば、１００円の消費金額に１個消費宝くじ番号１３２を提供すると設定した場合、依頼情報にある購入金が満５００円の場合は５個消費宝くじ番号１３２が発行されるが、満１５００円の場合は１５個消費宝くじ番号１３２が発行されることになる。
【００５０】      上記発行手段は、消費宝くじ券のデータに発券番号を対応付けて、通信部１１３を通じて発券端末１２に送信して発行する手段である。前記発券番号は消費宝くじ券番号１３１でもある。
【００５１】      上記登録手段は、上記依頼情報及び発券情報に関する情報データをさらに記憶部に登録する手段である。
【００５２】      図６は、第１第２第３の実施形態に係る発券端末１２のブロック図。発券端末１２は、制御部１２１、記憶部１２２、キー操作部１２３、請求受収部１２４、通信部１２６、印刷発券部１２７、登録部１２８、などで構成される。
【００５３】      上記請求受収部１２４は、例えばレジスタから、又は店員などの者がキー操作部２３から消費宝くじ券発行請求情報データを入力されることによって、請求情報を受収することができる。
【００５４】      キー操作部１２３は、複数のキーによって構成され、店員などの者の操作に応じて制御部２２に対して操作信号を与える構成で、制御部２２は、その操作信号に応じた動作を行うように構成されている。
【００５５】      通信部１２６は、発行サーバー１１との間での消費宝くじ番号発行関連情報に関するデータ通信を行うためのインタフェースとして構成されており、制御部１２１と協働して通信処理を行う構成をなしている。
【００５６】      印刷発券部１２７は、発行サーバー１１から発行された消費宝くじ券データを印刷して消費宝くじ券を発行することができる。
【００５７】      制御部１２１は、請求受収部１２４から受収した消費宝くじ券発行請求情報を通信部１２６から発行サーバー１１に送信させて、消費宝くじ券データ発行を依頼させる、そして通信部１２６に届く発行サーバー１１からの消費くじ番号データを印刷発行部１２７にて消費宝くじ券になるように印刷させて発券させることができる。
【００５８】      記憶部２３は、ＲＯＭ，ＲＡＭ，不揮発性メモリなどの公知の記憶媒体によって構成されており、消費ポイント算出用のプログラムを含め発券端末１２で扱われる各種情報データを記憶している。
【００５９】      図７は第１第２第３の実施形態に係るレジスタ機能付きの発券端末のブロック図である。発券端末１２にレジスタ機能を備えることによって、レジスタ機能にあるキー操作手段、印刷手段など機能が発券端末１２の操作手段、印刷手段にもなれる、さらに、領収書と消費宝くじ券を合体することも考えられる、消費宝くじ券に領収金額など記載があれば領収書になる、言い換えれば、領収書に消費宝くじ券データを記録すれば領収書が消費宝くじ券にもなる。
【００６０】      図８は発券端末１２から発券される消費宝くじ券１３の１例の概念図である。消費宝くじ券１３は、発券端末１２によって発行サーバー１１から発行された消費宝くじ券データを印刷、発券される印刷品である。消費宝くじ券１３には、消費宝くじ券番号１３１及び消費宝くじ番号１３２などが記録される、さらに、消費宝くじ券発行元７、抽選日、当選金交付期限などの情報テータが印刷される。又、領収金額などが印刷されることも考えられる。
【００６１】      消費宝くじ券番号１３１は、消費宝くじ券データを発行するときに付けらる番号であり、１枚の消費宝くじ券に１個の消費宝くじ券番号が対応づけられる。消費宝くじ券発行に関する情報データは、消費宝くじ券番号ごとに発行サーバー１１に登録されるため、消費宝くじ券番号があれば、何時、何処、いくら、何を商品又はサービスを購入したか、などの情報確認ができる、又は、領有書の役割にもなる。
【００６２】      消費宝くじ番号１３２は、抽選番号であり・抽選で当選番号と一致すれば当選金が貰える。１枚消費宝くじ券には１個消費宝くじ番号から複数の消費宝くじ番号までを付けることができる。例えば１００円に１消費ポイント、１消費ポイントに一個消費宝くじ番号で設定する場合、５００円購入金額には５個消費宝くじ番号が付けられる消費宝くじ券１枚が発券される、１５００円購入金額には１５個消費宝くじ番号が付けられる消費宝くじ券１枚が発券される、ことになる。
【００６３】      図９は、第３実施形態に係る消費宝くじシステムの流れを示すシーケンス図である。消費者２は企業３から商品又はサービスを購入するために購入金を支払ステップ（Ｓ１０１）と、企業３が購入金情報を発券端末１２に通知して消費宝くじ券の発行を請求ステップ（Ｓ１０２）と、発券端末１２は受収された請求情報を発行サーバー１１に送信して消費宝くじ券データの発行を依頼ステップ（Ｓ１０３）と、発行サーバー１１は依頼情報に基づく消費宝くじ券データを作成して発券端末１２に発行ステップ（Ｓ１０４）と、発券端末１２は、発行サーバー１１から発行された消費宝くじ券データを印刷して企業３に発券ステップ（Ｓ１０５）と、企業３は発行された消費宝くじ券１３を消費者２に交付ステップ（Ｓ１０６）と、購入金１３３を指定入金口座１４に入金ステップ（Ｓ１０７）と、消費税を指定入金口座１４から消費税口座１５に移動して管理ステップ（Ｓ１０８）と、消費宝くじ券発行元は、消費宝くじ番号の当選番号を抽選して当選番号と一致する消費宝くじ券の所有者に当選金を支払う（同時に、当選消費宝くじ券を交付する企業に、連帯賞金を与えることでもよい）ステップ（Ｓ１０９）と、消費税を税務機関４に申告納付ステップ（Ｓ１１０）と、が含まれる。
【符号の説明】
【００６４】      １  消費宝くじシステム
２  消費者
３  企業（仮想店舗なども含む商品又はサービスなどを提供する者）
４  税務機関
５  銀行（金融機関）
６  インターネット
７  消費宝くじ券発行元
１１  発行サーバー
１２  発券端末
１３  消費宝くじ券
１４  指定入金口座（企業が指定する自分が名義人の入金口座、企業の預金口座でもある。）
１５  消費税口座
１１１  制御部
１１２  記憶部
１１３  通信部
１１４  発行部
１２１  制御部
１２２  記憶部
１２３  キー操作部
１２４  申込受収部
１２６  通信部
１２７  印刷発行部
１２８  登録部
１２９  レジスタ機能部
１３１  消費宝くじ券番号
１３２  消費宝くじ番号
１３３  購入金（消費者が商品又はサービスを購入するため企業に支払う金額。）
【図１】
2018060237.tif 000003
【図２】
2018060237.tif 000004
【図３】
2018060237.tif 000005
【図４】
2018060237.tif 000006
【図５】
2018060237.tif 000007
【図６】
2018060237.tif 000008
【図７】
2018060237.tif 000009
【図８】
2018060237.tif 000010
【図９】
2018060237.tif 000011